(57)【要約】【課題】  記録型光ディスクに記録したデータを特定の対象者以外が利用できないようにデータの読み出しを制限できる光ディスク記録方法を提供する。【解決手段】  螺旋状に形成されたトラックの内周から外周へ向かう方向にデータを記録・再生するように規定されている光ディスクに対して、螺旋トラックの少なくとも一部に外周から内周へ向かう方向にデータを記録する。これにより、この方法で記録したデータは、螺旋トラックの外周から内周へ向かう方向（逆方向）にデータを再生する機能を有する光ディスク再生装置では再生できるが、通常の光ディスク再生装置はこのような機能を備えていないので、上記の方法で記録したデータを再生することができない。したがって、光ディスクに記録したデータの安全性を高めることができる。【選択図】  図２
2005116099.tif 000002
【特許請求の範囲】
【請求項１】
光ディスクを正回転させながら螺旋トラックの内周から外周へ向かう正方向にデータの記録・読み出しを行う設定の光ディスクに、読み出し制限がかかったデータであるセキュリティデータとなるようにデータを記録する光ディスク記録方法であって、
前記光ディスクを逆回転させながら前記螺旋トラックの外周から内周へ向かう逆方向に、前記螺旋トラックの少なくとも一部においてデータを記録することを特徴とする光ディスク記録方法。
【発明の詳細な説明】
【技術分野】
【０００１】
本発明は、光ディスクに記録するデータの安全性を向上させる記録方法に関する。
【背景技術】
【０００２】
近時、文章・画像・映像・プログラムなど大量のデータを一般や対象者に配布するために、ＣＤ・ＤＶＤなどの光ディスクが使用されている。対象者を限定してデータを配布する場合、データをそのまま読み出し可能な状態で記録した光ディスクを配布することもあるが、例えば、機密データなど一般には知られたくないデータを配布するために、暗号化したデータを記録した光ディスクを配布し、光ディスクのデータを復号化するキーワードを対象者に別途通知することがある。このようにすることで、対象者のみがデータを利用することができる。
【０００３】
また、一般に公開しても問題ない情報と、対象者のみに公開する情報と、を記録した光ディスクを作成して、大量のデータを配布することがある。この光ディスクに記録した対象者のみに公開する情報は、キーワードなどを入力することで利用可能になる。このような方法で光ディスクにデータを記録・再生する従来技術には、公開情報データの記録領域と条件付き公開情報データの記録領域とを光ディスクに設けて、条件付き公開情報データにアクセスするための解除データがシステム制御手段から転送されると、このデータにアクセスできる光ディスク、光ディスク記録再生方法および装置があった（例えば、特許文献１参照。）。
【特許文献１】特開２００１−１７６２０３号公報（第３−１０頁、第１−１０図）
【発明の開示】
【発明が解決しようとする課題】
【０００４】
前記のように暗号化したデータが記録された光ディスクと、データを復号化するためのキーワードと、を対象者に配布する方法では、対象者以外の人でも上記の光ディスク及びキーワードを入手するとデータにアクセスできるため、データの安全性に問題があった。
【０００５】
また、特許文献１に開示された光ディスクを通常の光ディスク再生装置で再生した場合、条件付き公開情報データであるか否かを判断する手段を備えていないため、条件付き公開情報データに対して暗号化やスクランブル処理が行われていない場合には、容易に再生できてしまうという問題があった。
【０００６】
そこで、本発明は、記録型光ディスクに記録したデータを特定の対象者以外が利用できないようにデータの読み出しを制限できる光ディスク記録方法を提供することを目的とする。
【課題を解決するための手段】
【０００７】
この発明は、上記の課題を解決するための手段として、以下の構成を備えている。
【０００８】
（１）光ディスクを正回転させながら螺旋トラックの内周から外周へ向かう正方向にデータの記録・読み出しを行う設定の光ディスクに、読み出し制限がかかったデータであるセキュリティデータとなるようにデータを記録する光ディスク記録方法であって、
前記光ディスクを逆回転させながら前記螺旋トラックの外周から内周へ向かう逆方向に、前記螺旋トラックの少なくとも一部においてデータを記録することを特徴とする。
【０００９】
ＣＤ・ＤＶＤ・ＢＤなどの光ディスクは、螺旋状に形成されたトラックの内周から外周へ向かう方向（正方向）にデータを記録・再生するように規定されている。この構成においては、光ディスクの螺旋トラックの少なくとも一部に外周から内周へ向かう方向にデータを記録するので、この方法で記録したデータは、螺旋トラックの外周から内周へ向かう方向（逆方向）にデータを再生する機能を有する光ディスク再生装置でのみ再生でき、通常の光ディスク再生装置はこのような機能を備えていないので、上記の方法で記録したデータを再生することができない。したがって、光ディスクを逆方向に再生する機能を備えた光ディスク再生装置を所有するユーザだけが、この方法で光ディスクに記録したデータを再生することができる。また、この方法で光ディスクにデータを記録することで、セキュリティデータとして読み出しを制限することができ、データの安全性を高めることができる。
【発明の効果】
【００１０】
本発明の光ディスク記録方法で記録した光ディスクは、光ディスクを逆回転させながら光ディスクのデータを読み出す機能を備えた光ディスク再生装置でのみ再生でき、通常の光ディスク再生装置では再生できないので、光ディスクに記録したデータの読み出しを制限することができ、データの安全性を高めることができる。また、上記の機能を備えた光ディスク再生装置のユーザは、従来の方法のようにキーワードなどを入力することなく、この光ディスクを容易に再生できる。
【発明を実施するための最良の形態】
【００１１】
まず、本発明の光ディスク記録方法でデータを記録するとともに、この記録方法で記録したデータを再生する光ディスク装置の構成を説明する。図１は、本発明の光ディスク記録方法を実行する光ディスク装置の概略構成を示したブロック図である。以下の説明では、内周から外周へ向けてデータを記録・再生するように規定されている光ディスクの一例としてＣＤ−Ｒを例に挙げて説明する。
【００１２】
図１に示すように、光ディスク装置１は、スピンドルモータ１１、フィードモータ１２、ガイドレール１３、光ピックアップ１４、ＲＦアンプ１５、再生信号復調回路１６、フォーカスサーボ回路１７、トラッキングサーボ回路１８、ＦＭ変調回路１９、バイフェーズ復調回路２０、スピンドルモータサーボ回路２１、ＰＬＬ回路２２、エンコーダ回路２３、レーザパワー制御回路（ＡＬＰＣ）２４、記憶回路２５、及び制御回路２６を備えている。
【００１３】
スピンドルモータ１１は、ＣＤ−Ｒ１０を正回転（規定方向）及び逆回転に駆動するモータである。また、スピンドルモータ１１の回転軸先端部には、ＣＤ−Ｒ１０を保持する図外の光ディスク保持機構を備えている。フィードモータ１２は、ＣＤ−Ｒ１０の記録面に対向した光ピックアップ１４を、ＣＤ−Ｒ１０の半径方向にトレースさせる。ガイドレール１３は、光ピックアップ１４を保持して、フィードモータ１２が光ピックアップ１４をスムーズにトレースできるように補助する。光ピックアップ１４は、ＣＤ−Ｒ１０へ照射する光ビームとしてレーザ光を照射するレーザダイオード、レンズ及びミラーなどの光学系、戻り光（反射光）受光素子、並びにフォーカスサーボ機構及びトラッキングサーボ機構などを備えている。また、光ピックアップ１４は、データ記録時及びデータ再生時に、ＣＤ−Ｒ１０に対してレーザ光を照射して、ＣＤ−Ｒ１０からの戻り光を受光して受光信号であるＥＦＭ変調されたＲＦ信号をＲＦアンプ１５に出力する。ＲＦアンプ１５は、光ピックアップ１４から供給されるＲＦ信号を増幅させて、増幅後のＲＦ信号（メイン信号）を再生信号復調回路１６へ出力する。再生信号復調回路１６は、ＲＦアンプ１５から出力されたＲＦ信号をＥＦＭ復調して、データを図外のホストコンピュータへ出力する。
【００１４】
フォーカスサーボ回路１７は、ＲＦアンプ１５から出力されたフォーカスエラー信号に基づいて、光ピックアップ１４のフォーカスサーボ機構を制御する。トラッキングサーボ回路１８は、ＲＦアンプ１５から出力されたトラッキングエラー信号に基づいて、光ピックアップ１４のトラッキングサーボ機構、及びフィードモータ１２の光ピックアップ１４の送り量を制御する。
【００１５】
ＦＭ復調回路１９は、ＲＦアンプ１５から出力されたトラッキングエラー信号をＦＭ復調して、バイフェーズ復調回路２０へ出力する。バイフェーズ復調回路２０は、ＦＭ復調回路１９から出力された信号を、バイフェーズ復調して、スピンドルモータサーボ回路２１及びＰＬＬ回路２２へ出力する。また、ＡＴＩＰ情報を制御回路２６へ出力する。スピンドルモータサーボ回路２１は、制御回路２６から出力された回転数速度制御信号と、バイフェーズ復調回路２５から出力されたバイフェーズクロック信号と、に基づいて、スピンドルモータ１１の回転を制御する。ＰＬＬ回路２２は、バイフェーズ復調回路２０から出力されたバイフェーズクロック信号と、制御回路２６から出力されたエンコーディングスピード制御信号と、の位相を比較し、双方の差に応じたエンコーダクロック信号をエンコーダ２３へ出力する。エンコーダ２３は、ＰＬＬ回路２２から出力されたエンコードクロック信号に基づいて、図外のホストコンピュータから出力されたデータをＥＦＭ変調し、レーザパワー制御回路２４に出力する。レーザパワー制御回路２４は、エンコーダ２３から出力されたデータ信号に応じたパワーのレーザ光を光ピックアップ１４のレーザダイオードが照射するように制御する。
【００１６】
記憶回路２５は、実験などを行って予め求めたデータや、光ディスク装置１のファームウェアなどを記憶する。制御回路２６は、ＣＰＵ、ＲＯＭ、及びＲＡＭ等から構成されており、ＲＯＭに格納されたプログラムに従って、光ディスク装置１の各部を制御する。
【００１７】
次に、本発明の実施形態に係る光ディスク記録方法を説明する。図２は、本発明の光ディスク記録方法によりデータを記録した光ディスクの領域構成を示した断面図である。図２（Ａ）〜（Ｃ）には、片面１層のＣＤ−Ｒに本発明を適用した場合を模式的に示している。
【００１８】
ＣＤ・ＤＶＤ・ＢＤ（Blu-ray Disk（登録商標））などの光ディスクは、周知のように、データを記録するトラックが螺旋状に形成され、この螺旋トラックの内周から外周へ向かう方向（正方向）にデータの記録・再生を行うように規定されている。本発明では、図２に示すように、一般に内容を知られても問題のないデータ（以下、一般データとも称する。）を、通常の光ディスクと同様にデータが正方向に読み出せるように、光ディスクを順方向に回転させながら光ディスクの内周から外周へ向けて螺旋状に記録する。一方、対象者以外に内容を知られたくなく、読み出しを制限したいデータを、光ディスクを逆方向に回転させながら光ディスクの外周から内周の方向に、螺旋状に記録してセキュリティデータとする。つまり、本発明では、一般データを通常の光ディスクのデータ記録方向（正方向）に記録し、セキュリティデータとしたいデータを通常の光ディスクのデータ記録方向と逆の方向に記録する。本発明のように螺旋トラックの外周側から内周側へデータが記録された光ディスクを一般的な光ディスク再生装置で再生すると、螺旋トラックの内周から外周へ向けてデータを読み出して順次復調することになる。この場合、データを逆方向から読み出すことになるため、読み出したデータは意味のないデータとなる。また、一般的な光ディスク再生装置は、光ディスクを逆回転させながら光ディスクの外周側から内周側へ螺旋トラックを読み出す機能を備えていないので、本発明の光ディスク記録方法で記録されたセキュリティデータを読み出すことができない。したがって、本発明の光ディスク記録方法で光ディスクにデータを記録することで、データの読み出しを制限することができ、また、データの安全性を高めることができる。以下の説明では、本発明を適用して読み出し制限がかけられたデータをセキュリティデータと称する。また、説明の都合上、本発明が適用されるデータもセキュリティデータと称する。
【００１９】
本発明の光ディスク記録方法は、図１に基づいて説明した光ディスク装置１で行うことができる。また、本発明の光ディスク記録方法で記録した光ディスクのセキュリティデータは、同様に、光ディスク装置１で再生することができる。以下、その詳細を説明する。
【００２０】
光ディスク装置１は、光ディスクに記録するセキュリティデータのファイル数の大小にかかわらず、本発明の光ディスク記録方法を実行することができる。
【００２１】
（１）セキュリティデータが１ファイルの場合、光ディスク装置１はファイルの一部を逆方向に記録することができる。例えば、図２（Ａ）に示すように、１ファイルの中間部（領域Ｂ）や１ファイルの後半部（領域Ｃ）を逆方向に記録することができる。このように記録した場合、１ファイルの一部は一般的な光ディスク再生装置でも再生可能となるので、例えば楽曲データのファイルを光ディスクに複数記録することで、一般的な光ディスク再生装置では、この光ディスクの各ファイルの一部を再生できる。一方、光ディスク装置１では、この光ディスクに記録した各ファイルの全体を再生することができる。これにより、この光ディスクを一般的な光ディスク再生装置で再生しても楽曲データの全体を再生することができないので、データの安全性を向上させることができる。
【００２２】
（２）複数のファイルのうち１つまたは数ファイルがセキュリティデータの場合、光ディスク装置１は１ファイル全体または数ファイルをまとめて逆方向に記録することができる。例えば３ファイルのうち１ファイルがセキュリティデータの場合、図２（Ｂ）に示すように、セキュリティデータであるファイルを領域Ｂに逆方向に記録し、他の２ファイルを領域Ａと領域Ｃに正方向に記録する。このように記録することで、一般的な光ディスク再生装置では領域Ｂに記録したファイルを読み出すことができないので、このファイルデータの安全性を高めることができる。
【００２３】
（３）複数のファイルがセキュリティデータの場合、光ディスク装置１はフォルダやセッション単位でデータを逆方向に記録することができる。例えば、図２（Ｃ）に示すように、マルチセッションＣＤの１セッション全体をセキュリティデータして逆方向に記録することができる。図２（Ｃ）に示すように、セキュリティデータを記録するセッションを領域Ｂに逆方向に記録し、他の２セッションを領域Ａ及び領域Ｃに正方向に記録する。このように記録することで、一般的な光ディスク再生装置では領域Ｂに記録したセッションを読み出すことができないので、このファイルデータの安全性を高めることができる。
【００２４】
（４）複数のファイルがセキュリティデータの場合、光ディスク装置１は全ファイルを逆方向に記録することができる。例えば、図２（Ｄ）に示すように、ＣＤ−Ｒ１０の記録層全体のデータを全て逆方向に記録することができる。また、光ディスク装置１は、図２（Ｅ）に示すように複数の記録層を有する光ディスクの場合、特定の層に記録する全ファイルを逆方向に記録することができる。例えば、図２（Ｅ）に示すように２層構造の光ディスクの場合、第０層に記録するデータは全て正方向に記録して、第１層に記録するデータは全て逆方向に記録することができる。これにより、一般的な光ディスク再生装置では第０層のみを再生できるので、第１層に記録したデータの読み出しを制限してデータの安全性を高めることができる。
【００２５】
上記の（１）〜（４）に説明したようにセキュリティデータを規定の方向と逆方向に記録した場合、光ディスク装置１は、図２に示したように、正方向に記録したデータのアドレスは内周側から外周側へ向けて徐々に大きくなるように記録する。また、光ディスク装置１は、逆方向に記録したデータのアドレスは外周側から内周側へ向けて徐々に大きくなるように記録する。例えば図２（Ｂ）に示すように、領域Ａに記録したデータのアドレスは、内周側から外周側へ向けて徐々に大きくなるように記録され、領域Ｂに記録したデータのアドレスは領域Ａの終端アドレスに続くアドレスが外周側から内周側へ向けて徐々に大きくなるように記録され、領域Ｃに記録したデータのアドレスは、領域Ｂの終端アドレスに続くアドレスが内周側から外周側へ向けて徐々に大きくなるように記録される。
【００２６】
また、ＣＤ−ＲやＤＶＤ＋ＲＷといった記録型光ディスクにセキュリティデータを記録する場合には、セキュリティデータを記録した領域の始端及び終端のデータを記録する際に使用するアドレス情報（例えばＡＴＩＰ情報やＡＤＩＰ情報）を、セキュリティデータの記録範囲を表す情報として光ディスクの所定の範囲に記録することができる。この場合、光ディスク装置１がデータの再生時にもＡＴＩＰ情報やＡＤＩＰ情報を読み出すように構成することで、セキュリティデータの記録領域を検出して容易にセキュリティデータを再生することができる。
【００２７】
また、光ディスク装置１で光ディスクを逆回転させてセキュリティデータを読み出すために、セキュリティデータの記録領域の範囲を表す情報が必要である。そのため、光ディスク装置１は、セキュリティデータを記録する際に、セキュリティデータの記録範囲を表す情報を光ディスクの所定の領域に記録する。例えば、光ディスク装置１は、セキュリティデータの記録領域の先頭部、セキュリティデータの内周側に記録したデータの後端部、または全ファイルの先頭部などにセキュリティデータの記録範囲を表す情報を正方向に記録する。
【００２８】
次に、光ディスク装置１のセキュリティデータの記録動作及びセキュリティデータの読み出し動作についてフローチャートに基づいて説明する。図３は、（Ａ）が光ディスク装置１のセキュリティデータの記録動作を説明するためのフローチャートであり、（Ｂ）がセキュリティデータの読み出し動作を説明するためのフローチャートである。
【００２９】
光ディスク装置１はＣＤ−Ｒ１０に一般データ及びセキュリティデータを記録する際には以下のように動作する。図３（Ａ）に示すように、図外のホストコンピュータが操作されて、ＣＤ−Ｒ１０に一般に公開しても良い一般データのファイルと、機密にすべきセキュリティデータのファイルと、を記録するように設定されると（ｓ１）、光ディスク装置１の制御回路２６は、図外のホストコンピュータから送られてきた各ファイルのデータ量情報に基づいてセキュリティデータの直前に記録するデータの終端アドレス及びセキュリティデータの直後に記録するデータの始端アドレスと、セキュリティデータを記録する領域の始端及び終端のＡＴＩＰ情報と、を算出する（ｓ２）。続いて、制御回路２６は、スピンドルモータサーボ回路２１に制御信号を出力して、スピンドルモータ１１でＣＤ−Ｒ１０を正回転させる。また、制御回路２６は、トラッキングサーボ回路１８に制御信号を出力して光ピックアップ１４をＣＤ−Ｒ１０の内周側に移動させる。そして、制御回路２６は、エンコーダ２３に出力するとともに、レーザパワー制御回路２４に制御信号を出力して、全データの先頭部にセキュリティデータを記録する領域のアドレス（またはＡＴＩＰ情報）を、ＣＤ−Ｒ１０に形成されているプリグルーブに沿って螺旋状に記録する（ｓ３）。続いて、制御回路２６は、一般データをＣＤ−Ｒ１０に形成されている螺旋状のプリグルーブに沿って正方向に記録する（ｓ４）。
【００３０】
制御回路２６は、一般データの記録が終了すると（ｓ５）、セキュリティデータを記録するために、スピンドルモータサーボ回路２１に制御信号を出力して、スピンドルモータ１１でＣＤ−Ｒ１０を逆回転させる。また、制御回路２６は、トラッキングサーボ回路１８に制御信号を出力して光ピックアップ１４をステップｓ２で求めたＡＴＩＰ情報によって求められる位置（アドレス）の近傍に移動させる。そして、制御回路２６は、トラッキングサーボ回路１８に制御信号を出力して光ピックアップ１４をＣＤ−Ｒ１０の内周側に移動させながら、レーザパワー制御回路２４に制御信号を出力して、図外のホストコンピュータから出力されるセキュリティデータを、ＣＤ−Ｒ１０に形成されているプリグルーブに沿って記録させる（ｓ６）。
【００３１】
制御回路２６は、セキュリティデータの記録が終了すると（ｓ７）、続いて一般データを記録するために、スピンドルモータサーボ回路２１に制御信号を出力して、スピンドルモータ１１でＣＤ−Ｒ１０を正回転させる。また、制御回路２６は、トラッキングサーボ回路１８に制御信号を出力して光ピックアップ１４をステップｓ２で求めたＡＴＩＰ情報の位置近傍に移動させる。そして、制御回路２６は、トラッキングサーボ回路１８に制御信号を出力して光ピックアップ１４をＣＤ−Ｒ１０の外周側に移動させながら、エンコーダ２３から出力されるデータをＣＤ−Ｒ１０に形成されているプリグルーブに沿って螺旋状に記録する（ｓ８）。制御回路２６は、全データの記録が終了すると（ｓ９）、処理を終了する。
【００３２】
次に、光ディスク装置１はＣＤ−Ｒ１０に記録されたセキュリティデータを読み出す際には以下のように動作する。図３（Ｂ）に示すように、図外のホストコンピュータが操作されて、ＣＤ−Ｒ１０に記録されたセキュリティデータを再生するように設定されると
（ｓ１１）、光ディスク装置１の制御回路２６は、スピンドルモータサーボ回路２１に制御信号を出力して、スピンドルモータ１１でＣＤ−Ｒ１０を正回転させる。また、制御回路２６は、トラッキングサーボ回路１８に制御信号を出力して光ピックアップ１４をＣＤ−Ｒ１０の内周側に移動させる。そして、制御回路２６は、ＣＤ−Ｒ１０のデータ領域の先頭部に記録されているセキュリティデータの記録領域を表す情報を読み出す（ｓ１２）。続いて、制御回路２６は、このセキュリティデータの記録領域を表す情報に基づいてトラッキングサーボ回路１８に制御信号を出力して、光ピックアップ１４をＣＤ−Ｒ１０におけるセキュリティデータの記録領域の外周側近傍に移動させる。また、制御回路２６は、スピンドルモータサーボ回路２１に制御信号を出力して、スピンドルモータ１１でＣＤ−Ｒ１０を逆回転させる。そして、制御回路２６は、トラッキングサーボ回路１８に制御信号を出力して、光ピックアップ１４をＣＤ−Ｒ１０の内周側に移動させながら、セキュリティデータを読み出す（ｓ１３）。制御回路２６は、セキュリティデータの読み出しが終了すると（ｓ１４）、処理を終了する。
【００３３】
なお、本発明の光ディスク記録方法は、追記型や書き換え型など記録型光ディスクだけでなく、再生専用型の光ディスクにも適用できる。再生用型光ディスクはスタンパを用いて作成するが、スタンパの作成時に本発明の光ディスク記録方法を適用して、セキュリティデータなど一部のデータをスタンパを逆回転させながら記録すると良い。また、図２（Ｅ）に２層構造の光ディスクを例示したが、例えば、２層構造のＤＶＤ−ＲＯＭを作成するために使用するスタンパの製造時に本発明の光ディスク記録方法を適用することもできる。
【図面の簡単な説明】
【００３４】
【図１】本発明の光ディスク記録方法を実行する光ディスク装置の概略構成を示したブロック図である。
【図２】本発明の光ディスク記録方法によりデータを記録した光ディスクの領域構成を示した断面図である。
【図３】光ディスク装置におけるセキュリティデータの記録動作及び読み出し動作を説明するためのフローチャートである。
【符号の説明】
【００３５】
１−光ディスク装置、１０−ＣＤ−Ｒ、１１−スピンドルモータ、
１２−フィードモータ、１３−ガイドレール、１４−光ピックアップ、
１５−ＲＦアンプ、１６−再生信号復調回路、１７−フォーカスサーボ回路、
１８−トラッキングサーボ回路、１９−ＦＭ変調回路、
２１−スピンドルモータサーボ回路、２４−レーザパワー制御回路
２６−制御回路
【図１】
2005116099.tif 000003
【図２】
2005116099.tif 000004
【図３】
2005116099.tif 000005